(57)【要約】【課題】イベントの進行に応じて放送すべき、放送コンテンツの選択ミスを防止し、適確な放送コンテンツの放送を可能とする放送設備を提供する。【解決手段】イベントのプログラムの進行に合わせて、コンテンツ選択部２１を操作して放送すべき放送コンテンツを選択されると、制御部３は、コンテンツ属性記憶部８を参照して選択された放送コンテンツに対応する属性と、プログラム属性記憶部７を参照して進行されようとしているプログラムの属性とを取得する。そして、両属性を比較し、一致する場合は、選択された放送コンテンツの放送開始を可能とする。一致しない場合は、表示部４にその旨表示し、警告音出力部５に警告出力を指示する。この状態では、放送開始スイッチ２２を操作しても、放送コンテンツの放送は指示しない。【選択図】図１
2004040306.tif 000002
【特許請求の範囲】
【請求項１】
イベントのプログラムの進行に応じた放送コンテンツの放送を行う放送装置であって、
前記プログラムの属性を前記プログラムに対応させて記憶するプログラム属性記憶部と、
複数の放送コンテンツを保持し、選択された放送コンテンツの出力が可能な音源部と、
前記音源部の各放送コンテンツに対応させて、その放送コンテンツが使用される前記プログラムの前記属性を記憶したコンテンツ属性記憶部と、
放送すべき放送コンテンツを選択するとともに、選択された放送コンテンツの放送開始を指示する操作部と、
前記操作部の操作に応じて、前記放送コンテンツの放送を制御する制御部とを有し、
前記制御部は、前記操作部の操作によって選択された前記放送コンテンツに対応する前記属性を前記コンテンツ属性記憶部から読出し、進行中の前記プログラムに対応する前記属性を前記プログラム属性記憶部から読出し、前記読出した両属性が不一致の場合には警告を出力するものである放送装置。
【請求項２】
請求項１記載の放送装置であって、
前記制御部は、前記警告の出力時には、前記操作部による前記放送開始指示にかかわらず、前記放送コンテンツの放送を制限する機能を有するものである放送装置。
【請求項３】
請求項２記載の放送装置であって、
前記操作部は、前記制御部の前記制限機能の解除を指示する操作部材を有する放送装置。
【請求項４】
請求項１ないし３のいずれか１項記載の放送装置であって、
さらに、前記プログラムの属性を設定するプログラム属性設定部を有し、
前記プログラム属性設定部は、前記イベントの進行中においても、前記プログラム属性記憶部に記憶された前記属性の変更が可能なものである放送装置。
【請求項５】
請求項１ないし４のいずれか１項記載の放送装置であって、
前記操作部は、前記プログラムの進行を１ステップ戻す指示を行う操作部材を有する放送装置。
【請求項６】
請求項１ないし５のいずれか１項記載の放送装置であって、
前記イベントは、競馬場における競馬の開催であり、
前記属性は、競馬レースのグレードに関する情報を含み、
前記放送コンテンツは、競走馬入場時に放送される入場曲及び発走時に放送される発走曲を含むものである放送装置。
【発明の詳細な説明】
【０００１】
【発明の属する技術分野】
本発明は、イベント（催し物）のプログラム（番組）の進行に応じた放送コンテンツの放送を行う放送装置に関する。
【０００２】
【従来の技術】
イベントの開催時には、そのプログラムの進行に合わせて音楽等のコンテンツを放送する場合がある。例えば競馬場における競馬の開催時には、競走馬が馬場に入場する際に入場曲が放送され、発走の前に発走曲（ファンファーレ）が放送されている。そして、これらのコンテンツの放送は、プログラムの進行に対応した所定のタイミングで開始されている。また、入場曲や発走曲は、レースのグレードによって異なるものが放送されている。
【０００３】
一般に、競馬開催におけるレースプログラムは、天候、馬場コンディション、競走馬の状態等の要因により、必ずしも予定通りには進行しない。例えば、発走曲の放送後、競走馬ゲートイン時のアクシデントにより発走が遅れたり、予定されたレースが中止となる場合がある。したがって、再度のゲートイン前には、同一の発走曲を再放送する必要があり、また、特定のレースが中止になった場合は、放送予定の曲をスキップして放送する必要がある。
【０００４】
そのため、従来の競馬場における入場曲、発走曲の放送は、係員が進行中のプログラムを確認し、現在のレース進行に合わせて放送曲を選択し、放送開始を指示することにより行っていた。より具体的には、係員が進行中のレースのグレード（重賞（ＧＩ）、重賞（その他）、特別、一般等）を確認し、グレードに規定されている曲目を、選曲釦を押下して選曲し、次にスタート釦を押下して、この曲目を放送していた。
【０００５】
【発明が解決しようとする課題】
しかし、従来のものは、放送すべき曲目の選択を係員の判断（レース進行の認識、進行レースのグレード確認）のみによって行うため、誤認識又は誤操作により、誤った曲目の放送開始を指示する可能性を有している。そして、このような誤りは、実際に選択された曲が放送されるまで発見できないため、改善が求められていた。
【０００６】
本発明は、上述した事情に鑑みてなされたもので、イベントの進行に応じて放送すべき、放送コンテンツの選択ミスを防止し、適確な放送コンテンツの放送を可能とする放送装置を提供することを目的とする。
【０００７】
【課題を解決するための手段】
本発明の放送装置は、イベントのプログラムの進行に応じた放送コンテンツの放送を行うものであって、前記プログラムの属性を前記プログラムに対応させて記憶するプログラム属性記憶部と、複数の放送コンテンツを保持し、選択された放送コンテンツの出力が可能な音源部と、前記音源部の各放送コンテンツに対応させて、その放送コンテンツが使用される前記プログラムの前記属性を記憶したコンテンツ属性記憶部と、放送すべき放送コンテンツを選択するとともに、選択された放送コンテンツの放送開始を指示する操作部と、前記操作部の操作に応じて、前記放送コンテンツの放送を制御する制御部とを有し、前記制御部は、前記操作部の操作によって選択された前記放送コンテンツに対応する前記属性を前記コンテンツ属性記憶部から読出し、進行中の前記プログラムに対応する前記属性を前記プログラム属性記憶部から読出し、前記読出した両属性が不一致の場合には警告出力を行うものである。このように構成すると、選択コンテンツが、誤りであるかどうかを、選択コンテンツの放送前に確認することができ、イベントのプログラムに対応した放送コンテンツを適確に放送することができる。
【０００８】
本発明の放送装置における前記制御部は、前記警告の出力時には、前記操作部による前記放送開始指示にかかわらず、前記放送コンテンツの放送を制限する機能を有するものである。このように構成すると、誤った放送コンテンツの放送を確実に防止できる。
【０００９】
また、本発明の放送装置における前記操作部は、前記制御部の前記制限機能の解除を指示する操作部材を有するものである。このように構成すると、緊急の放送が必要な場合でも、プログラム属性記憶部の設定を修正することなく、コンテンツ選択部で選択した放送コンテンツを迅速に放送することができる。
【００１０】
本発明の放送装置は、さらに、前記プログラムの属性を設定するプログラム属性設定部を有し、前記プログラム属性設定部は、前記イベントの進行中においても、前記プログラム属性記憶部に記憶された前記属性の変更が可能なものである。したがって、プログラム属性記憶部の記憶内容を迅速に修正することができ、コンテンツ選択部で選択した放送コンテンツの放送を行うことができる。
【００１１】
本発明の放送装置における前記操作部は、前記プログラムの進行を１ステップ戻す指示を行う操作部材を有するものである。このように構成すると、放送済のコンテンツを再放送する必要がある場合でも、確実に放送コンテンツを選択することができる。
【００１２】
本発明の放送装置における前記イベントは、競馬場における競馬の開催であり、前記属性は、競馬レースのグレードに関する情報を含み、前記放送コンテンツは、競走馬入場時に放送される入場曲及び発走時に放送される発走曲を含むものである。本発明は、競馬開催における入場曲や発走曲のように、同様の放送コンテンツを繰り返し、放送するようなイベントに適用して特に有効である。
【００１３】
【発明の実施の形態】
以下、本発明の実施の形態について、図面を参照して説明する。図１は、本発明の実施の形態の放送装置の概略構成を示す図である。
【００１４】
図１の放送装置において、音源部１は、複数の放送コンテンツを保持し、選択された放送コンテンツを出力するものである。放送コンテンツは、アナログデータで保持してもデジタルデータで保持してもよい。保持された放送コンテンツの出力は、制御部３からの制御信号に基づいて行われる。
【００１５】
操作部２は、プログラムの進行に合わせて放送すべき放送コンテンツを選択入力するとともに、選択された放送コンテンツの放送開始を指示するものであり、コンテンツ選択部２１、放送開始スイッチ２２，放送停止スイッチ２３を含む。コンテンツ選択部２１は、プログラムの進行に合わせて放送すべき曲目等の放送コンテンツを選択するもので、例えば表示部４に示された放送コンテンツの中の一つを指示することによって選択する。放送開始スイッチ２２は、コンテンツ選択部２１によって選択された放送コンテンツの放送開始を指示するスイッチであり、放送停止スイッチ２３は、放送中の放送コンテンツを途中で停止する場合に操作するものである。
【００１６】
操作部２は、押しボタンスイッチ、パネルスイッチ、キーボード等の各種操作部材を適宜選択して使用する。また、部分的には、表示部４を兼用する表示灯付きスイッチを利用してもよい。
【００１７】
制御部３は、操作部の操作に応じた放送コンテンツの放送制御を含む本実施の形態の放送装置全体の動作を制御するものであり、詳細は後述する。
【００１８】
表示部４は、本実施の形態の放送装置の各種状態を表示するもので、イベントプログラムの進行状態、放送すべき放送コンテンツの選択状態、後述するプログラム属性の設定状態、警告等を表示する。表示部４は、ランプ、ＣＲＴ、液晶パネル等各種表示部材が使用可能である。また、表示部４は、必ずしも１箇所にまとめて配置する必要はなく、操作部２の操作部材又は後述するプログラム属性設定部６の操作部材と一体に設けてもよい。
【００１９】
警告音出力部５は、表示部４に警告表示される場合に、合わせて警告音を出力するもので、例えば、ブザーで構成される。表示部４及び警告音出力部５への警告出力については、後述する。
【００２０】
プログラム属性設定部６は、イベントの開催時に進行する各プログラムの属性をそのプログラムに対応させて記憶するものであり、設定した属性はプログラム属性記憶部７に記憶される。プログラム属性設定部６をマトリックス状に配置した複数の表示灯付きスイッチで構成すると、表示部４の機能も持たせることができる。設定されるプログラムの属性は、放送されるコンテンツに何らかの関連があるものが、イベントの種類に応じて適宜選択される。例えば、競馬の開催においては、レースのグレード情報を含む。
【００２１】
コンテンツ属性記憶部８は、音源部１に保持される各放送コンテンツに対応させて、イベントのプログラムの属性を記憶するものである。記憶される属性は、イベント開催時に、その放送コンテンツが使用されるプログラムの属性である。すなわち、ある放送コンテンツＡが、ある属性Ｘを有するプログラムＰに使用される場合、その属性Ｘを放送コンテンツＡの属性として記憶するものである。
【００２２】
以上の構成を有する放送装置を使用して、イベントのプログラムの進行に応じた放送コンテンツの放送を行う場合、音源部１には、必要な放送コンテンツを保持させ、保持された放送コンテンツの属性を、コンテンツ属性記憶部８に記憶させておく。また、プログラム属性設定部６を利用して、開催しようとするイベントの各プログラムの属性をプログラム属性記憶部７に記憶させておく。
【００２３】
イベントが開始すると、プログラムの進行に合わせて、コンテンツ選択部２１を操作して放送すべき放送コンテンツを選択する。制御部３は、コンテンツ属性記憶部８を参照して選択された放送コンテンツに対応する属性を、第１の属性情報として取得する。また、進行されようとしているプログラムの属性をプログラム属性記憶部７から、第２の属性情報として取得する。そして、取得した第１の属性情報と第２の属性情報を比較し、一致するかどうかを判断する。
【００２４】
一致する場合は、予め設定したプログラムの進行に対応した放送コンテンツが選択されたことを示しているので、表示部４に、選択された放送コンテンツの放送を開始してもよい旨、例えば、「ＯＫ」の表示を行う。この表示を確認後、係員が放送開始スイッチ２２をオンにすると、制御部３は、選択された放送コンテンツの放送開始を音源部１に指示するので、選択された放送コンテンツの放送が開始される。
【００２５】
第１の属性情報と第２の属性情報とが一致しない場合は、表示部４にその旨表示し、警告音出力部５に警告出力を指示する。この状態では、放送開始スイッチ２２を操作しても、放送コンテンツの放送は指示しない。第１の属性情報と第２の属性情報とが一致しないということは、コンテンツ選択部２１による選択、又はプログラム属性設定部６によるプログラムの属性の設定に誤りがあるということであるので、係員は、いずれか又は両方の誤りを修正することになる。誤りを修正すると、第１の属性情報と第２の属性情報の一致するので、制御部３は、警告表示及び警告音出力を停止させる。そして、放送開始スイッチ２２の操作を待つ。
【００２６】
なお、コンテンツ選択部２１、又はプログラム属性設定部６の操作による誤り修正中、警告音停止スイッチ（図示せず）を操作して警告音を停止させるようにしてもよい。ただし、その場合でも。表示部４による警告表示はそのままにしておく。また、コンテンツ選択部２１の選択及び選択したコンテンツの放送開始指示を強制的に有効にする確認スイッチ（図示せず）を設けると、プログラム属性記憶部７の設定を修正する時間的余裕がない場合でも、迅速な放送開始が可能となる。
【００２７】
次に、競馬場における競馬開催時の、入場曲及び発走曲の放送を行う放送装置を具体例として、さらに詳細に説明する。競馬開催時には、レースの進行に応じて入場曲と発走曲が交互に放送される。したがって、プログラムは、放送コンテンツの放送という観点から、図２に示すようなものと把握される。図２は、第１回東京８日目の競馬番組が、１レース入場、１レース発走、２レース入場、２レース発走、・・、１２レース発走という順序で進行することを示している。また、各レースには、グレードが設けられ、各グレードに対応した入場曲及び発走曲が放送されるので、各プログラムの属性として、図２に示すように、入場、発走の区別とレースグレードを設定する。
【００２８】
図３は、プログラム属性設定部６の一例を示すグレード設定部６００である。グレード設定部６００は、マトリックス状に配置した表示灯付き押しボタンスイッチ６１、６１、・・を備えており、レース毎に、そのグレード（図では、Ｇ１、重賞、特別、一般）に対応するスイッチを操作することにより、プログラムの属性が設定される。なお、競馬の開催においては、入場と発走が交互に行われるので、入場と発走の区別は、入力を省略することができ、図３のグレード設定部でレース毎のグレードを設定すると、図２に示すような属性が、プログラム番号に対応してプログラム属性記憶部７に記憶される。
【００２９】
音源部１には、放送される入場曲及び発走曲が保持され、コンテンツ属性部８には、各曲に対応した属性が記憶される。図４は、コンテンツ属性記憶部８の記憶内容の一例を概念的に示すものである。競馬開催時に放送される曲は、図４に示すように曲と属性が１対１に対応するのが普通であるが、１曲に対して複数の属性を対応させたり、複数の曲が同じ属性を有していてもよい。
【００３０】
図５は、操作部２を構成する操作パネル２００の一例を示す図である。操作パネル２００には、コンテンツ選択部２１に対応する放送曲選択スイッチ２１０、放送開始スイッチ２２に対応するスタートスイッチ２２０、放送停止スイッチ２３に対応するストップスイッチ２３０が設けられるとともに、操作パネル２００の操作を有効とする有効化スイッチ２０１が設けられる。各スイッチは、表示灯付き押しボタンスイッチで、押下すると、表示灯が点灯するものである。
【００３１】
図６は、表示部４を構成する表示パネル４００の一例を示す図である。表示パネル４００は、大きく現在レース表示領域４１０と、次レース表示領域４２０に分けられ、さらに現在レース表示領域４１０には、操作部２を構成する確認スイッチ２４０、レース送りスイッチ２５０、再放送スイッチ２６０、及び警告音出力部５を構成するブザー５００が設けられる。
【００３２】
現在レース表示領域４１０には、現在レース番号を表示する現在レース表示部４１１、現在レースのグレードを表示する表示灯群４１２、放送曲選択操作に誤りがないときに点灯する「ＯＫ」表示部４１３、放送曲選択操作に誤りがあるときに点灯する警告表示部４１４が設けられる。また、次レース表示領域４２０には、次レース番号を表示する次レース表示部４２１、現在レースのグレードを表示する表示灯群４２２が設けられる。
【００３３】
確認スイッチ２４０は、警告が出力された場合でも、放送曲選択スイッチ２１０による選択を強制的に有効にするものであり、グレード設定部６００の操作をせずに、放送曲選択スイッチ２１０で選択された放送曲を迅速に放送する必要がある場合に使用される。このスイッチ２４０を押下すると、ブザー５００が停止し、スタートスイッチ２２０の押下によって、選択された曲が放送開始する状態となる。レース送りスイッチ２５０は、イベントプログラムを１ステップ進行させるもので、選択された曲の放送開始タイミングを逸したり、レースが中止になた場合に、使用される。１回押下することにより、図２のプログラム番号が１だけ進行するので、入場曲の放送なしに発走曲の放送をする場合等に使用する。また、レース中止の場合は、２回押下することにより、次レースの入場曲を放送することができる。再放送スイッチ２６０は、発走にアクシデントがあり、再発走がされる場合にすでに放送された発走曲を再放送する場合等に使用されるもので、このスイッチを押下すると、プログラムステップが１ステップ戻る。なお、レース送りスイッチを設けて、１回の押下でプログラム番号を２進行させるようにしてもよい。
【００３４】
続いて、入場曲及び発走曲の放送を行う放送装置の動作を、図７及び図８に示すフローを用いて説明する。グレード設定部６００によって、各レースのグレードが設定され、放送装置による放送が可能になると、ステップ７０１でプログラム番号が１に設定される。プログラム番号は、例えば所定のカウンタに設定される。ステップ７０２では、レース送りスイッチ２５０の操作の有無により、プログラムの進行指示の有無を判断する。プログラムの進行指示があった場合は、プログラム番号Ｎを１加算する（ステップ７０３）。
【００３５】
ステップ７０４では、プログラム属性記憶部７から現プログラム番号に対応する属性（第２の属性）を読み出し、表示パネル４００の表示灯群４１２のうちの対応するグレードの表示灯を点灯させる。合わせて、現在レース表示部４１１、次レース表示部４２１にレース番号を表示させるとともに、表示灯群４２２のうちの対応するグレードの表示灯を点灯させる。今、プログラム番号Ｎ＝１とすると、現在レース表示部４１１には「１」、次レース表示部４２１には「２」が表示され、現在レース表示領域４１０の「入場」「一般」を示す表示灯、及び次レース表示領域４２０の「一般」を示す表示灯が点灯される。そして、操作パネル２００の操作による放送コンテンツ（放送曲）の選択を待つ（ステップ７０５）。
【００３６】
係員によって放送コンテンツが選択されると、選択されたコンテンツに対応する属性（第１の属性）をコンテンツ属性記憶部８から読み出し（ステップ７０６）、先に読み出した第２の属性と比較する（ステップ７０７）。プログラム番号Ｎ＝１の状態で、操作パネル２００の放送曲スイッチ２１０により、「一般入場曲」を押下すると、第１の属性と第２の属性は、ともに「一般入場」であるので、ステップ７０９での比較結果が一致することになり（ステップ７０８）、表示パネル４００の「ＯＫ」表示部４１３が点灯し、音源部１に対して選択されたコンテンツの放送準備を指示する（ステップ７０９）。そして、操作パネル２００のスタートスイッチ２２０の押下による放送開始操作を待つ（ステップ７１０）。
【００３７】
スタートスイッチ２２０が押下されると。制御部３は、音源部１に選択された放送コンテンツ（この場合は、「一般入場曲」）の放送を指示する（ステップ７１１）。そして、ステップ７１２で、放送終了を待つ。なお、放送終了には、ストップスイッチ２３０の操作による終了も含む。
【００３８】
放送が終了すると、プログラム番号を「１」加算する（ステップ７１３）。そして、再放送スイッチ２６０の操作の有無を判断し（ステップ７１４）、操作を検出した場合は、プログラム番号を「１」減算する（ステップ７１５）。次いで、プログラム番号が「Ｎ０＋１」であるかを判断する。「Ｎ０」は、プログラム番号の最大値であり、図２の例では「１２」である。プログラム番号が「１２＋１」であることは、すべての放送コンテンツの放送が終了したことを示しているので、動作を終了し、「１２＋１」でないときは、ステップ７０２に戻って同様の動作を繰り返す。
【００３９】
ステップ７０８で、第１の属性と第２の属性が一致しない場合、表示パネル４００の警告表示部４１４を点灯するとともに、ブザー５００により警告音を出力する（ステップ７１７）。ステップ７１８では、表示パネル４００の確認スイッチ２４０の押下の有無が判断され、押下された場合は、警告音を停止させ（ステップ７２４）、ステップ７０９以降、第１の属性と第２の属性が一致した場合と同様の動作を行う。ただし、この場合、表示パネル４００の警告表示部４１４は点灯したままである。この警告表示は、放送終了後のステップ７１３で解除される。
【００４０】
確認スイッチ２４０の操作がない場合、警告音停止スイッチ（図示せず）の操作を待って（ステップ７１９）、警告音を停止させる（ステップ７２０）。なお、警告音停止スイッチは、必ずしも必要ではないが、警告解除操作をする間の音は、騒がしいので、設ける方が好ましい。
【００４１】
第１の属性と第２の属性が一致しない場合は、コンテンツの選択、又はプログラム属性の設定に誤りがあると考えられるので、コンテンツの再選択（ステップ７２１）、又はプログラム属性の修正（ステップ７２２）を待つ。コンテンツの再選択がされると、ステップ７０６以降の動作を繰り返す。また、プログラム続映の修正操作がされると、ステップ７２３で、プログラム属性記憶部の内容が更新され、ステップ７０４以降の動作を繰り返す。必要な放送コンテンツの放送がされることなく、イベントのプログラムが進行した場合は、次のプログラムに対応した放送コンテンツを放送するため、レース送りスイッチ２５０が押下されるので、プログラム進行と判断され（ステップ７２５）、ステップ７１３に移行する。
【００４２】
なお、以上説明した動作は、制御部３によって制御される。制御部３は、ハードウェアによるシーケンス回路で構成してもよいし、所定のソフトウェアで動作するプロセッサで構成してもよい。
【００４３】
【発明の効果】
以上述べたように、本発明によれば、イベントの進行に応じて放送すべき、放送コンテンツの選択ミスを防止し、適確な放送コンテンツの放送を可能とする放送装置を提供することができる。
【図面の簡単な説明】
【図１】本発明の実施の形態の放送装置の概略構成を示す図
【図２】競馬場における競馬開催プログラムの一例を示す図
【図３】本発明の実施の形態のプログラム属性設定部の一例を示す図
【図４】本発明の実施の形態のコンテンツ属性記憶部の記憶内容の一例を概念的に示す図
【図５】本発明の実施の形態の操作パネルの一例を示す図
【図６】本発明の実施の形態の表示パネルの一例を示す図
【図７】本発明の実施の形態の放送装置の概略動作フローを示す図
【図８】本発明の放送装置の概略動作フローを示す図
【符号の説明】
１・・・音源部
２・・・操作部
３・・・制御部
４・・・表示部
５・・・警告音出力部
６・・・プログラム属性設定部
７・・・プログラム属性記憶部
８・・・コンテンツ属性記憶部
２１・・・コンテンツ選択部
２２・・・放送開始スイッチ
２３・・・放送停止スイッチ
２００・・・操作パネル
２０１・・・有効化スイッチ
２１０・・・放送曲選択スイッチ
２２０・・・スタートスイッチ
２３０・・・ストップスイッチ
２４０・・・確認スイッチ
２５０・・・プログラム送りスイッチ
２６０・・・再放送スイッチ
４００・・・表示パネル
４１０・・・現在レース表示領域
４１１・・・現在レース表示部
４１２・・・表示灯
４１３・・・「ＯＫ」表示部
４１４・・・警告表示部
４２０・・・次レース表示領域
４２１・・・次レース表示部
４２２・・・表示灯
５００・・・ブザー
【図１】
2004040306.tif 000003
【図２】
2004040306.tif 000004
【図３】
2004040306.tif 000005
【図４】
2004040306.tif 000006
【図５】
2004040306.tif 000007
【図６】
2004040306.tif 000008
【図７】
2004040306.tif 000009
【図８】
2004040306.tif 000010